(57)【要約】【目的】  音声用のケーブルの接続をユーザに促すことができるディスプレイ装置を提供する。【構成】  ディスプレイ装置３０のＣＰＵ３は、ＨＤＭＩ入力回路１の端子にケーブルが接続されていると判定した場合、ソースがＨＤＭＩ搭載機器かどうかを判定する。ソースがＨＤＭＩ搭載機器であると判定した場合、音声切替回路５においてＨＤＭＩ入力回路１からの音声を選択させる。一方、ソースがＤＶＩ搭載機器であると判定したとき、ＯＳＤ回路４によって「音声ケーブルを接続して下さい」の画面メッセージ及びＬＥＤ６の点滅によるメッセージ出力を行う。そして、音声切替回路５においてＤＶＩ用音声入力回路２からの音声を選択させる。【選択図】        図１
2005250342.tif 000002
【特許請求の範囲】
【請求項１】
映像及び音声を伝送するインターフェイスに対応した信号入力部を備えるディスプレイ装置において、映像にのみ対応する下位インターフェイスによる入力かどうかを判定する手段と、前記下位インターフェイスによる入力であると判定したときに、音声ケーブルの接続を促すメッセージを出力するメッセージ出力手段と、を備えたことを特徴とするディスプレイ装置。
【請求項２】
請求項１に記載のディスプレイ装置において、前記下位インターフェイスからの音声を入力するための音声入力部を備えたことを特徴とするディスプレイ装置。
【請求項３】
請求項２に記載のディスプレイ装置において、前記インターフェイスからの音声と前記下位インターフェイスからの音声とを入力し、いずれかの音声を自動選択する切替回路を備えたことを特徴とするディスプレイ装置。
【請求項４】
請求項１乃至請求項３のいずれかに記載のディスプレイ装置において、オンスクリーンディスプレイ回路を備え、前記メッセージとして文字メッセージを画面表示するように構成されたことを特徴とするディスプレイ装置。
【請求項５】
請求項１乃至請求項３のいずれかに記載のディスプレイ装置において、発光部を備え、前記メッセージとして前記発光部を点灯又は明滅するように構成されたことを特徴とするディスプレイ装置。
【発明の詳細な説明】
【技術分野】
【０００１】
この発明は、外部機器からの信号を入力して映像表示を行うことができるプロジェクタ、液晶表示パネル、プラズマディスプレイパネル、ＣＲＴ等のディスプレイ装置に関する。
【背景技術】
【０００２】
ディジタル映像をケーブルにより供給する規格として、ＤＶＩ（digital visual interface）が知られており、例えば、パーソナルコンピュータから出力されるディジタル映像をパーソナルコンピュータ用のモニタに供給するのに利用されている。また、上記ＤＶＩの上位規格として、ＨＤＭＩ（High-definition multimedia interface）が知られている。このＨＤＭＩは、ディジタル映像とディジタル音声の伝送に対応している。更に、ＤＶＩを搭載する再生機器のディジタル映像をＨＤＭＩを搭載するディスプレイ装置に供給するために、変換ケーブルが提供されている。なお、各種の信号形式を扱うことができるインターフェイス方式変換カセットが提案されている（特許文献１参照）。
【特許文献１】特開平１１−３１１９６９号公報
【発明の開示】
【発明が解決しようとする課題】
【０００３】
しかしながら、前記変換ケーブルを用いる場合、ＤＶＩはディジタル映像を伝送するのみであるから、音声について別途にケーブルにて音声端子同士を接続する必要がある。ユーザにしてみれば、変換ケーブルを用いたことで音声についても対応できているとの思い込みを持つことが多く、音声用にケーブルを別途接続することを失念し、音声出力されないことを機器の故障であると判断することも少なくない。
【０００４】
この発明は、上記の事情に鑑み、インターフェイス変換を行う場合において、音声用のケーブルの接続をユーザに促すことができるディスプレイ装置を提供することを目的とする。
【課題を解決するための手段】
【０００５】
この発明のディスプレイ装置は、上記の課題を解決するために、映像及び音声を伝送するインターフェイスに対応した信号入力部を備えるディスプレイ装置において、映像にのみ対応する下位インターフェイスによる入力かどうかを判定する手段と、前記下位インターフェイスによる入力であると判定したときに、音声ケーブルの接続を促すメッセージを出力するメッセージ出力手段と、を備えたことを特徴とする。
【０００６】
上記の構成であれば、下位インターフェイスによって映像が入力されたときには、音声ケーブルの接続を促すメッセージが出力されるので、ユーザが音声ケーブルの接続を失念してしまうのを防止することができる。
【０００７】
前記下位インターフェイスの音声を入力するための音声入力部を備えていてもよい。また、かかる構成において、前記インターフェイスの音声と前記下位インターフェイスの音声とを入力し、いずれかの音声を自動選択する切替回路を備えるのがよい。
【０００８】
また、これら構成のディスプレイ装置において、オンスクリーンディスプレイ回路を備え、前記メッセージとして文字メッセージを画面表示するように構成されていてもよい。或いは、発光部を備え、前記メッセージとして前記発光部を点灯又は明滅するように構成されていてもよい。
【発明の効果】
【０００９】
この発明によれば、下位インターフェイスによって映像が入力されたときには、音声ケーブルの接続を促すメッセージが出力されるので、ユーザが音声ケーブルの接続を失念してしまうのを防止できるという効果を奏する。
【発明を実施するための最良の形態】
【００１０】
以下、この発明の実施形態のディスプレイ装置を図１及び図２に基づいて説明するが、ここでは、映像データ及び音声データを伝送するインターフェイスとしてＨＤＭＩ（High-definition multimedia interface）が利用され、映像にのみ対応する下位のインターフェイスとして、ＤＶＩ（digital visual interface）が利用される場合を例示している。
【００１１】
図１はディスプレイ装置３０を示したブロック図である。このディスプレイ装置３０は、例えば、ＤＶＤプレーヤー、ディジタル放送を受信するセットトップボックス、或いは、パーソナルコンピュータなど（以下、ソースという）に接続される。ディスプレイ装置３０における映像表示装置７は、プロジェクタ、液晶表示パネル、プラズマディスプレイ、ＣＲＴ等から成る。
【００１２】
ディスプレイ装置３０には、ＨＤＭＩ入力回路１及びＤＶＩ用音声入力回路２が設けられている。デコーダを搭載するＣＰＵ３は、ＨＤＭＩ入力回路１からの映像データ及び音声データを入力する。なお、ＤＶＩにはディジタルのみの規格とアナログ対応の規格があるが、いずれも変換ケーブルを用いることにより、ＤＶＩの映像をＨＤＭＩ入力回路１に入力することができる。
【００１３】
ＣＰＵ３は、ＨＤＭＩ入力回路１に入力された信号がアナログ信号であることを検出した場合、ソースはＤＶＩ搭載の機器であると判定する。また、ソースが映像データを伝送するＤＶＩ−Ｄを搭載する場合、及びＨＤＭＩを搭載する場合は、ＣＰＵ３はソース側のＣＰＵとの間で認証処理を実行するので、ソースがＤＶＩ搭載機器かそれともＨＤＭＩ搭載機器かを判定することができる。
【００１４】
ＣＰＵ３のデコーダは、ＨＤＭＩ入力回路１に入力された映像データ及び音声データに対してデコード処理を行う。映像／音声データは、例えば、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリームである。前記デコーダは、ビデオストリームに対してデコードを行うビデオデコーダ、及びオーディオストリームに対してデコードを行うオーディオデコーダから成る。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードされた映像データは映像表示回路７に供給される。一方、音声データは音声切替回路５に供給される。
【００１５】
音声切替回路５は、ＣＰＵ３のデコーダから出力される音声データと、ＤＶＩ用音声入力回路２からの音声信号を入力する。音声切替回路５はＣＰＵ３からの制御信号によって切替処理を行う。すなわち、ＣＰＵ３は、ソースがＤＶＩ搭載機器であると判定したとき、ＤＶＩ用音声入力回路２からの音声を選択させるように、音声切替回路５に指令を与え、ソースがＨＤＭＩ搭載機器であると判定したとき、ＨＤＭＩ入力回路１からの音声を選択させるように、音声切替回路５に指令を与える。選択された音声（アナログ音声信号又はＤ／Ａ変換により得られたアナログ音声信号）は、音声出力回路（スピーカ等）８に供給される。
【００１６】
また、ＣＰＵ３は、ソースがＤＶＩ搭載機器であると判定したとき、「音声ケーブルを接続して下さい」といったメッセージを表示させるよう、ＯＳＤ（オンスクリーンディスプレイ）回路４に指令を与える。ＯＳＤ回路４は、ＣＰＵ３から出力指示された文字情報等のビットマップデータを加算器９に出力する。加算器９は前記ビットマップデータをソースからの映像に組み込む。ＯＳＤ回路４により、上記「音声ケーブルを接続して下さい」といった文字メッセージが映像表示装置７の画面に表示される。更に、ＣＰＵ３は、ソースがＤＶＩ搭載機器であると判定したとき、ＬＥＤ（発光ダイオード）６を点灯又は点滅させる。ＬＥＤ６はディスプレイ装置の筐体の前面部（視認可能位置）に設けられており、音声ケーブル接続を促す表示として利用される。
【００１７】
図２はＣＰＵ３の処理内容を示したフローチャートである。まず、ＨＤＭＩ入力回路１の端子にケーブルが接続されているかどうかを判定する（ステップＳ１）。ケーブルが接続されていると判定した場合、ソースがＨＤＭＩ搭載機器かどうかを判定する（ステップＳ２）。ＹＥＳと判定した場合、音声切替回路５においてＨＤＭＩ入力回路１からの音声を選択させる（ステップＳ３）。一方、ＮＯと判定した場合、すなわち、ソースがＤＶＩ搭載機器であると判定したとき、ＯＳＤ機能による画面メッセージ及びＬＥＤ６の点滅によるメッセージ出力を行う（ステップＳ４）。そして、音声切替回路５においてＤＶＩ用音声入力回路２からの音声を選択させる（ステップＳ５）。
【００１８】
上記の例では、ディスプレイ装置が音声出力装置（スピーカ等）８を搭載する例を示したが、ディスプレイ装置に音声出力端子を設け、この音声出力端子にスピーカが接続される構成としてもよい。また、ディスプレイ装置にＤＶＩ専用音声出力端子を設け、ＤＶＩ用音声入力回路２からの音声が音声切替回路５を通さずに前記ＤＶＩ専用音声出力端子に供給される構成としてもよい。かかる構成では、音声切替回路５は不要となる。また、コンポーネントタイプのアンプ内蔵のスピーカに、ディスプレイ装置からの音声を入力する端子と他の端子とを設けると共に、これら両端子からの音声を選択する音声切替回路（ディスプレイ装置から切替信号を供給）を設けておき、ＤＶＩ搭載機器の音声出力を前記他の端子に接続させるようにしてもよい。
【図面の簡単な説明】
【００１９】
【図１】この発明の実施形態のディスプレイ装置を示したブロック図である。
【図２】処理内容を示したフローチャートである。
【符号の説明】
【００２０】
１    ＨＤＭＩ入力回路
２    ＤＶＩ用音声入力回路
３    ＣＰＵ
４    ＯＳＤ回路
５    音声切替回路
６    ＬＥＤ
７    映像表示装置
８    音声出力装置
３０  ディスプレイ装置
【図１】
2005250342.tif 000003
【図２】
2005250342.tif 000004